(57)【特許請求の範囲】
【請求項１】
通信装置に出力される映像信号を生成する生成手段と、
前記映像信号を第１の無線信号として送信する映像送信側の前記通信装置で、前記第１の無線信号の受信品質の測定結果を示す第２の無線信号を受信することで、前記通信装置から供給される受信品質の測定結果を受信する受信手段と、
前記通信装置から供給された受信品質の測定結果を示す映像信号を生成して出力する出力手段と
を有する映像信号出力装置。
【請求項２】
前記出力手段は、前記通信装置から供給された受信品質の測定結果をスーパーインポーズ表示とした映像信号を生成して出力する
請求項１記載の映像信号出力装置。
【請求項３】
映像受信側の通信装置から供給される映像信号を受信する受信手段と、
前記受信手段で受信された映像信号を表示する表示手段とを有し、
映像受信側の前記通信装置では、映像送信側の他の機器から送信される第１の無線信号の受信品質を測定した測定結果を第２の無線信号として前記他の機器へ送信することで得られた、受信品質の測定結果を含む映像信号が出力され、
前記受信手段で受信される映像信号に受信品質の測定結果を含み、前記表示手段は、測定結果を含む映像信号を表示する
映像表示装置。
【請求項４】
前記表示手段は、映像に受信品質の測定結果をスーパーインポーズ表示する
請求項３記載の映像表示装置。
【請求項５】
映像信号を出力する映像信号出力装置と、
前記映像信号出力装置から供給された映像信号を第１の無線信号として送信する通信装置とを有し、
前記映像信号出力装置は、
映像送信側の前記通信装置で前記第１の無線信号の受信品質の測定結果を示す第２の無線信号を受信することで、前記通信装置から供給される受信品質の測定結果を受信する受信手段と、
前記通信装置から供給された受信品質の測定結果を示す映像信号を生成して出力する出力手段とを有し、
前記通信装置は、
前記映像信号出力装置から供給された映像信号を第１の無線信号として送信する送信手段と、
前記第１の無線信号の受信品質の測定結果を示す第２の無線信号を受信して、得られた前記測定結果を前記映像信号出力装置に出力する受信手段とを有する
受信品質通信システム。
【請求項６】
前記映像信号出力装置と前記通信装置との接続は、前記映像信号出力装置と映像信号が供給される映像表示装置を接続するために設けられたディジタルインタフェースを用いる
ことを特徴とする請求項５記載の受信品質通信システム。
【請求項７】
前記第２の無線信号は、前記第１の無線信号よりも低い周波数帯域を用いる
ことを特徴とする請求項５記載の受信品質通信システム。
【請求項８】
第１の無線信号を受信して、前記第１の無線信号から映像信号を生成する通信装置と、
映像受信側の前記通信装置で生成された前記映像信号に基づいて映像表示を行う映像表示装置とを有し、
前記映像表示装置は、
前記通信装置から供給される前記映像信号を表示する表示手段を有し、
前記通信装置は、
映像送信側の他の機器から送信される第１の無線信号を受信して得られた映像信号を出力する受信手段と、
前記第１の無線信号の受信品質を測定する測定手段と、
前記測定手段で測定された測定結果を第２の無線信号として前記他の機器へ送信する送信手段とを有し、
前記第２の無線信号を前記他の機器へ送信することで得られた、受信品質の測定結果を含む映像信号を、前記映像表示装置に出力する
受信品質通信システム。
【請求項９】
前記通信装置と前記映像表示装置との接続は、映像信号を供給する映像信号出力装置と前記映像表示装置を接続するために設けられたディジタルインタフェースを用いる
ことを特徴とする請求項８記載の受信品質通信システム。
【請求項１０】
前記第２の無線信号は、前記第１の無線信号よりも低い周波数帯域を用いる
ことを特徴とする請求項８記載の受信品質通信システム。
【発明の詳細な説明】
【技術分野】
【０００１】
この発明は、映像信号出力装置、映像表示装置及び受信品質通信システムに関する。詳しくは、映像送信側から映像受信側へ映像信号を第１の無線信号として送信し、映像受信側でこの第１の無線信号を受信して得られた映像信号に基づいて映像表示を行うとき、映像受信側で第１の無線信号の受信品質を測定して測定結果を第２の無線信号として映像送信側へ送信し、映像送信側で第２の無線信号を受信して得られた測定結果を示す映像信号を、第１の無線信号として映像受信側に送信するものである。
【背景技術】
【０００２】
近年の映像表示システムでは、映像の表示機能を独立させることでシステム構成の自由度を高めることが行われている。例えば、プラズマ表示パネルあるいは液晶表示パネル等の表示素子を用いて構成された種々の映像表示装置と、チューナ機能や記録媒体再生機能等を有した映像信号出力装置を個々に設けて、ユーザの希望する映像表示装置と映像信号出力装置を接続することで、映像表示システムを自由に構成できる。
【０００３】
しかし、映像表示装置と映像信号出力装置を独立して設けると、装置間をケーブルで接続しなければならず装置のレイアウトが制限されてしまう。また、ケーブルが露出してしまい見栄えも良くない。このため、例えば特許文献１では、ＰＣ等の映像信号出力装置と液晶プロジェクタ等の映像表示装置との間で映像信号をワイヤレス方式で伝達する映像表示システムが開示されている。
【０００４】
【特許文献１】特開平１０−１４５７９７号公報
【発明の開示】
【発明が解決しようとする課題】
【０００５】
ところで、無線信号を用いて超高精細映像や高品位の動映像を伝送する場合、非常に高い伝送速度が必要とされることから、ミリ波を利用した無線伝送が行われる。このように、高い周波数を用いて通信を行う場合、ミリ波は直線性が強い性質を有しているため、少ない送信電力でも効率よく通信を行うことができるように、利得の高いアンテナが用いられる。このように利得の高いアンテナを用いる場合、アンテナを設置する際に向きを正しく調整する操作が必要となる。
【０００６】
ここで、映像表示装置に表示された映像の品質を確認しながら、例えば送信側のアンテナの向きを調整すると、品質の差が顕著に現れなければいずれの方向が最適な方向であるか容易に判別することができない。また、無線信号の受信装置で受信レベルを表示するものとしても、受信装置は送信装置から離れた位置に設けられていることから、受信装置の表示を読み取って送信側のアンテナの向きを調整することは困難である。さらに、送信側から表示を容易に読み取ることができるように表示サイズの大きい表示部を受信装置に設けるものとすると、受信装置の小型化や低コスト化が困難となってしまう。
【０００７】
そこで、この発明では、映像の無線伝送を行う際に容易にアンテナの向きを調整可能とすることができる映像信号出力装置、映像表示装置及び受信品質通信システムを提供するものである。
【課題を解決するための手段】
【０００８】
この発明に係る映像信号出力装置は、通信装置に出力される映像信号を生成する生成手段と、映像信号を第１の無線信号として送信する映像送信側の通信装置で、第１の無線信号の受信品質の測定結果を示す第２の無線信号を受信することで、通信装置から供給される受信品質の測定結果を受信する受信手段と、通信装置から供給された受信品質の測定結果を示す映像信号を生成して出力する出力手段とを有するものである。
【０００９】
この発明に係る映像表示装置は、映像受信側の通信装置から供給される映像信号を受信する受信手段と、受信手段で受信された映像信号を表示する表示手段とを有し、映像受信側の通信装置では、映像送信側の他の機器から送信される第１の無線信号の受信品質を測定した測定結果を第２の無線信号として他の機器へ送信することで得られた、受信品質の測定結果を含む映像信号が出力され、受信手段で受信される映像信号に受信品質の測定結果を含み、表示手段は、測定結果を含む映像信号を表示するものである。
【００１０】
この発明に係る受信品質通信システムは、映像信号を出力する映像信号出力装置と、映像信号出力装置から供給された映像信号を第１の無線信号として送信する通信装置とを有し、映像信号出力装置は、映像送信側の通信装置で第１の無線信号の受信品質の測定結果を示す第２の無線信号を受信することで、通信装置から供給される受信品質の測定結果を受信する受信手段と、通信装置から供給された受信品質の測定結果を示す映像信号を生成して出力する出力手段とを有し、通信装置は、映像信号出力装置から供給された映像信号を第１の無線信号として送信する送信手段と、第１の無線信号の受信品質の測定結果を示す第２の無線信号を受信して、得られた測定結果を映像信号出力装置に出力する受信手段とを有するものである。
【００１１】
また、この発明に係る受信品質通信システムは、第１の無線信号を受信して、第１の無線信号から映像信号を生成する通信装置と、映像受信側の通信装置で生成された映像信号に基づいて映像表示を行う映像表示装置とを有し、映像表示装置は、通信装置から供給される映像信号を表示する表示手段を有し、通信装置は、映像送信側の他の機器から送信される第１の無線信号を受信して得られた映像信号を出力する受信手段と、第１の無線信号の受信品質を測定する測定手段と、測定手段で測定された測定結果を第２の無線信号として他の機器へ送信する送信手段とを有し、第２の無線信号を他の機器へ送信することで得られた、受信品質の測定結果を含む映像信号を、映像表示装置に出力するものである。
【００１２】
この発明においては、映像信号を出力する映像信号出力装置と映像信号を表示する映像表示装置との間に、映像信号を第１の無線信号として送信する映像送信側の通信装置と、第１の無線信号を受信して、第１の無線信号から生成した映像信号を映像表示装置に供給する映像受信側の通信装置が、映像信号出力装置と映像表示装置を接続するために設けられたディジタルインタフェースを介して接続される。
【００１３】
映像受信側の通信装置では、第１の無線信号の受信品質が測定されて測定結果が、第１の無線信号よりも低い周波数帯域を用いた第２の無線信号として送信される。第２の無線信号を映像送信側の通信装置で受信して得られた測定結果は、映像信号出力装置に供給される。映像信号出力装置では、映像送信側の通信装置から供給された測定結果を例えばスーパーインポーズ表示とした映像信号が生成されて映像送信側の通信装置に供給される。
【発明の効果】
【００１４】
この発明によれば、映像信号出力装置と映像表示装置との間に、映像信号を第１の無線信号として送信する映像送信側の通信装置と、第１の無線信号を受信して、第１の無線信号から生成した映像信号を映像表示装置に供給する映像受信側の通信装置が設けられる。映像受信側の通信装置は、第１の無線信号の受信品質を測定して測定結果を第２の無線信号として送信し、映像送信側の通信装置は、第２の無線信号を受信して得られた測定結果を映像信号出力装置に供給し、映像信号出力装置は、映像送信側の通信装置から供給された測定結果を示す映像信号を生成して映像送信側の通信装置に供給する。そして、映像送信側の通信装置は、測定結果を示す映像信号を映像受信側の通信装置に送信し、映像受信側の通信装置は、測定結果を示す映像信号を映像表示装置に供給する。このため、受信品質を示す映像を映像表示装置の画面上に表示できるので、この映像表示装置の画面上に表示された受信品質を示す映像を参照して受信品質が良好となるようにアンテナの向きを容易に調整できる。また、映像信号出力装置で、受信品質を示す映像信号を生成することから、著作権保護のために映像信号を暗号化して出力するような場合であっても、映像表示装置に受信品質を示す映像を表示できる。
【００１５】
また、第２の無線信号は、第１の無線信号よりも低い周波数帯域を用いることにより直進性が第１の無線信号よりも低くなることから、第２の無線信号の受信を容易に行うことができる。
【００１６】
また、映像信号出力装置と映像送信側の通信装置との接続、および映像受信側の通信装置と映像表示装置との接続は、映像信号出力装置と映像表示装置を接続するために設けられたディジタルインタフェースを用いる。このため、映像信号出力装置と映像表示装置に通信装置を接続するためのインタフェースを設ける必要がなく、既存の映像信号出力装置と映像表示装置を使用することができる。
【００１７】
さらに、映像信号出力装置は、映像送信側の通信装置から供給された測定結果をスーパーインポーズ表示とすることで、放送番組等を視聴しながらでもアンテナの向き調整を行うことができる。
【発明を実施するための最良の形態】
【００１８】
以下、図を参照しながら、この発明の実施の一形態について説明する。図１は受信品質表示システムの構成を示すブロック図である。映像信号出力装置１０は、放送信号の受信や記録媒体の再生を行い映像信号を生成して出力する。また、映像信号出力装置１０は、生成した映像信号に対して種々の情報を示す映像信号を重畳させて出力する。映像表示装置５０は、映像信号出力装置１０から供給された映像信号に基づいて映像表示を行う。
【００１９】
この映像信号出力装置１０と映像表示装置５０は、ディジタルインタフェースを介して接続されるものであり、映像信号出力装置１０は映像信号を映像伝送に適した伝送方式の信号としてディジタルインタフェースを介して出力する。例えば、映像伝送に適した伝送方式として、ＴＭＤＳ(米国SiliconImage社の登録商標):Transition Minimized Differential Signalingと呼ばれるシリアル伝送方式を用いる。また、ディジタルインタフェースとして、ＤＶＩ（Digital Display Working Groupの登録商標):Digital Visual Interfaceと呼ばれるディジタルインタフェースや、ＨＤＭＩ(HDMI Licensing,LLCの登録商標):High Definition Multimedia Interfaceと呼ばれるディジタルインタフェースを用いる。
【００２０】
映像表示装置５０は、ディジタルインタフェースを介して供給された信号に基づいて表示素子を駆動することにより映像表示を行う。
【００２１】
このように構成された映像信号出力装置１０と映像表示装置５０との間に通信装置２０，４０を設けることで、映像信号出力装置１０から映像表示装置５０に対して映像信号を無線信号として伝送することにより、映像信号出力装置１０と映像表示装置５０を離れた位置に設置可能とする。通信装置２０，４０は、超高精細映像や高品位の動映像を伝送することができるように、例えばミリ波帯である６０ＧＨｚ帯の周波数を用いて映像信号の無線伝送を行う。また、通信装置２０と通信装置４０との間では、映像表示装置５０に関する情報や映像表示装置５０を制御するための制御情報、無線信号の受信品質を示す情報等の無線伝送も行う。これらの情報の無線伝送は、ミリ波帯を用いても良く、また動映像等のように高い伝送速度を必要としないことから、ミリ波帯よりも低い周波数帯、例えば無線ＬＡＮ等で用いられているマイクロ波帯の周波数を用いることができる。このように、映像信号の無線伝送よりも低い周波数帯を用いることで、情報の無線伝送は映像信号の無線伝送よりも直進性が低くなることから、アンテナの向きを映像信号の無線伝送のように精度良く調整しなくとも情報の無線伝送を行うことができる。
【００２２】
図２は、映像信号出力装置１０の構成を示すブロック図である。映像信号生成部１１は、チューナやハード・ディスク・ドライブ、メディアドライブ等を用いて構成されており、放送番組の受信やハード・ディスク・ドライブに記録されたコンテンツの再生、光ディスクや光磁気ディスクあるいは半導体素子で構成されたメモリカード等のメディアに記録されたコンテンツの再生を行い、映像信号を生成して表示重畳部１２に供給する。
【００２３】
表示重畳部１２は、映像信号生成部１１から供給された映像信号に対して、後述する制御部１６から供給された情報表示用の映像信号を重畳して、送信映像信号として送信信号生成部１３に供給する。例えば、チューナで選局しているチャネルやメディアの再生状態等に関する情報を表示するための映像信号や、後述する受信品質を表示するための映像信号を重畳させる。
【００２４】
送信信号生成部１３は、送信映像信号を映像伝送に適した例えばシリアル伝送方式の信号に変換する。例えば、供給された映像信号の伝送符号化処理を行い、直流レベルの平衡化や論理レベルの反転回数の最小化を図り、差動駆動方式のシリアル三原色信号を生成する。また、シリアル三原色信号のクロック信号も差動駆動方式で生成する。さらに、送信信号生成部１３は、送信する映像信号に対して著作権保護を行うとき、送信映像信号の暗号化を行い、暗号化された送信映像信号を用いてシリアル伝送信号を生成する。このようにして生成したシリアル伝送信号やクロック信号をインタフェース１４から出力する。
【００２５】
情報信号処理部１５は、情報信号が制御部１６から供給されたとき、この情報信号をインタフェース１４から出力する。また、インタフェース１４を介して情報信号が供給されたとき、この受信した情報信号を制御部１６に供給する。
【００２６】
制御部１６はバス１７を介して各部と接続されており、映像信号生成部１１における映像信号生成動作や、送信信号生成部１３におけるシリアル伝送信号の出力動作等を制御する。また、情報信号処理部１５から、通信装置４０における受信品質の測定結果を示す情報信号が供給されたとき、表示重畳部１２を制御して受信品質の測定結果を示す映像信号を映像信号生成部１１で生成された映像信号に重畳させる。
【００２７】
図３は、映像送信側の通信装置２０の構成を示すブロック図である。通信装置２０のインタフェース２１に供給されたシリアル伝送信号やクロック信号は、送信部２２の送信信号処理部２２１に供給される。
【００２８】
送信信号処理部２２１は、クロック信号を基準としてシリアル伝送信号のデコード処理を行い、シリアル伝送信号を元の映像信号に戻す。また、映像信号の所定量毎に誤り訂正符号例えばリードソロモン符号を付加してパケット単位の信号とする。このパケット単位の信号を複数パケットまとめてフレーム構造の信号として、このフレーム構造の信号に同期信号や送信先等を示すヘッダ情報等を付加して送信映像信号を生成し、送信処理部２２２に供給する。
【００２９】
送信処理部２２２は、供給された送信映像信号を変調して、無線伝送を行う周波数帯例えば６０ＧＨｚ帯の信号にアップコンバートしたのち増幅してアンテナ３１に供給し、第１の無線信号として送信する。
【００３０】
情報送受信部２３の情報信号処理部２３１は、インタフェース２１を介して供給された情報信号に基づき送信情報信号を生成して通信処理部２３２に供給する。通信処理部２３２は、供給された送信情報信号を変調してアップコンバートしたのち、送信処理部２２２から送信される無線信号よりも低い周波数帯の第２の無線信号、例えば２．４ＧＨｚ帯や５ＧＨｚ帯の無線信号としてアンテナ３３から送信する。また、通信処理部２３２は、アンテナ３３で受信された無線信号のダウンコンバートや復調を行い、得られた受信情報信号を情報信号処理部２３１に供給する。情報信号処理部２３１は、通信処理部２３２から供給された受信情報信号を、映像信号出力装置１０との通信に対応した情報信号としてインタフェース２１を介して出力する。また、情報信号処理部２３１で誤り訂正処理を行うものとすれば、情報信号の無線伝送を正しく行うことができる。
【００３１】
制御部２４は、バス２５を介して各部と接続されており、映像信号の無線送信や情報信号の無線による送受信が正しく行われるように各部の動作を制御する。
【００３２】
図４は、映像受信側の通信装置４０の構成を示すブロック図である。アンテナ３２で受信された無線信号は、受信部４１の受信処理部４１１に供給される。
【００３３】
受信処理部４１１は、受信した無線信号をダウンコンバートして復調を行い、得られた受信映像信号を受信信号処理部４１２に供給する。また、受信処理部４１１は、受信した無線信号の信号レベルを示す情報を生成して、制御部４４に供給する。
【００３４】
受信信号処理部４１２は、受信映像信号のヘッダ情報に基づき自己宛の受信映像信号を抽出する。さらに抽出した受信映像信号に対して誤り訂正処理を行う。この誤り訂正処理後の受信映像信号を映像伝送に適した伝送方式の伝送信号としてインタフェース４２を介して映像表示装置５０に供給する。また、受信信号処理部４１２は、誤り訂正処理を行う際に誤り率を測定し、測定結果を制御部４４に供給する。
【００３５】
情報送受信部４３の情報信号処理部４３１は、インタフェース４２を介して供給された情報信号に基づき送信情報信号を生成して通信処理部４３２に供給する。通信処理部４３２は、供給された送信情報信号を変調してアップコンバートしたのち、上述のアンテナ３３から送信される無線信号と等しい周波数帯の無線信号としてアンテナ３４から送信する。また、通信処理部４３２は、アンテナ３４で受信された無線信号のダウンコンバートや復調を行い、得られた受信情報信号を情報信号処理部４３１に供給する。情報信号処理部４３１は、通信処理部４３２から供給された受信情報信号を、映像表示装置５０との通信に対応した情報信号としてインタフェース４２を介して出力する。また、情報信号処理部４３１で誤り訂正処理を行うものとすれば、情報信号の無線伝送を正しく行うことができる。
【００３６】
制御部４４は、バス４５を介して各部と接続されており、映像信号の無線送信や情報信号の無線による送受信が正しく行われるように各部の動作を制御する。また、受信処理部４１１から供給された無線信号の信号レベルを示す情報や、受信信号処理部４１２から供給された誤り率に基づき、アンテナ３２で受信した無線信号の受信品質の測定結果を示す情報を情報信号処理部４３１に供給して、この測定結果を示す情報を無線信号として送信させる。
【００３７】
ここで、アンテナ３３，３４間で無線伝送される情報信号では、リモートコントロール情報、映像信号出力装置１０と映像表示装置５０との間で交換される動作状態に関する情報、映像信号出力装置１０と映像表示装置５０間で機器認証等を行うための情報等が示される。また、上述のように、アンテナ３２で受信される無線信号の受信品質の測定結果を示す情報が情報信号として通信装置４０から通信装置２０に無線信号で送信される。
【００３８】
次に受信品質の表示動作について説明する。映像信号出力装置１０は、放送番組の受信やメディアの再生を行うことにより生成した映像信号を通信装置２０に供給する。
【００３９】
通信装置２０は、映像信号出力装置１０から供給された映像信号を無線信号に変換してアンテナ３１から送信する。
【００４０】
通信装置４０は、通信装置２０から送信された無線信号をアンテナ３２で受信して、受信品質を測定する。更に、通信装置４０は、受信品質の測定結果を示す情報信号を生成して、情報送受信部４３からアンテナ３４を介して送信する。
【００４１】
通信装置２０は、通信装置４０のアンテナ３４から送信された無線信号をアンテナ３３で受信し、得られた受信品質の測定結果を示す情報信号を映像信号出力装置１０に供給する。
【００４２】
映像信号出力装置１０は、通信装置２０から供給された受信品質の測定結果を示す情報信号を制御部１６に供給する。制御部１６は、受信品質の測定結果を示す情報信号に基づいてオンスクリーン情報信号を生成して表示重畳部１２に供給する。表示重畳部１２は、オンスクリーン情報信号に基づき、映像信号生成部で生成された映像信号に受信品質の測定結果を示す映像の映像信号を重畳させる。この受信品質の測定結果を示す映像が重畳されている映像信号は、送信信号生成部１３やインタフェース１４を介して通信装置２０に供給される。
【００４３】
通信装置２０は、映像信号出力装置１０から供給された受信品質の測定結果を示す映像が重畳されている映像信号を無線信号としてアンテナ３１から送信する。
【００４４】
通信装置４０は、アンテナ３１から送信された無線信号をアンテナ３２で受信する。この受信した無線信号の復調や誤り訂正処理を行い、得られた映像信号を映像表示装置５０に供給する。
【００４５】
映像表示装置５０は、通信装置４０から供給された映像信号に基づいて、映像表示を行う。このとき、画面上には放送信号を受信して得られた映像やメディアを再生して得られた映像に、例えば受信品質の測定結果を示す数字やバー表示等が重畳されて、受信品質の測定結果がスーパーインポーズ表示される。このため、通信装置２０と通信装置４０が離れていても映像表示装置５０の画面上に表示された受信品質の測定結果を参照して、通信装置２０に接続されたアンテナ３１の向きを受信品質が最も良くなる方向に容易に設定することができる。
【００４６】
また、映像信号出力装置１０は、アンテナの向き調整を行うための調整用映像信号を生成して通信装置２０に供給するものとしても良い。この場合、通信装置４０で検出される誤り率が、送信される映像に応じて変化してしまうことがなく、受信品質に応じた誤り率を精度良く検出することが可能となる。
【００４７】
ここで、映像信号出力装置１０と映像表示装置５０がＤＶＩインタフェースで接続される場合、通信装置２０のインタフェース２１と通信装置４０のインタフェース４２は、ＤＶＩインタフェースを用いるものとする。このＤＶＩインタフェースでは、ＴＭＤＳ方式の伝送路とＤＤＣ(Video Electronics Standards Associationの登録商標):Display Data Channelと呼ばれる伝送路が設けられている。このため、ＤＤＣを用いて受信品質を示す情報信号の伝送を行うものとすれば、新たな伝送路を設けることなく、受信品質を示す情報信号を通信装置２０から映像信号出力装置１０に供給できる。
【００４８】
また、映像信号出力装置１０と映像表示装置５０がＨＤＭＩインタフェースで接続される場合、通信装置２０のインタフェース２１と通信装置４０のインタフェース４２は、ＨＤＭＩインタフェースを用いるものとする。このＨＤＭＩインタフェースでは、ＴＭＤＳ方式の伝送路とＤＤＣと呼ばれる伝送路とＣＥＣ(Consumer Electronics Control）Lineと呼ばれる伝送路が設けられている。このため、ＤＤＣやＣＥＣLineを用いて受信品質を示す情報信号の伝送を行うものとすれば、新たな伝送路を設けることなく、受信品質を示す情報信号を通信装置２０から映像信号出力装置１０に供給できる。
【００４９】
また、映像信号出力装置１０と映像表示装置５０の接続に、上述のディジタルインタフェースとは異なるインタフェースの伝送路が設けられている場合、例えば赤外線リモートコントロールの操作に相当する制御を有線で行えるようにインタフェースが設けられている場合、このインタフェースを用いて、受信品質を示す情報信号を通信装置２０から映像信号出力装置１０に供給するものとしても良い。
【００５０】
このように、上述の形態によれば、映像受信側の通信装置４０における受信品質を示す情報が、通信装置４０に接続された映像表示装置５０の画面上に表示されるので、この映像表示装置５０に表示された受信品質を示す映像を参照しながら、映像送信側の通信装置２０に接続されているアンテナ３１の向きを、受信品質が最良となるように容易に調整できる。また、測定結果をスーパーインポーズ表示とすることで、放送番組等を視聴しながらでもアンテナの向き調整を行うことができる。なお、アンテナの向き調整では、アンテナ３１だけでなくアンテナ３２の向きを調整するものとしても良い。
【００５１】
また、映像信号出力装置１０から映像表示装置５０に供給する映像信号に、受信品質を示す情報の映像信号を重畳させて送信することから、映像表示装置５０に受信品質を示す映像を表示するための信号生成回路や駆動回路等を設ける必要がなく、既存の映像表示装置５０を利用できる。受信品質を示す映像信号を重畳させて送信することから、著作権保護のために映像信号を暗号化して送信するような場合であっても、映像表示装置５０に受信品質を示す映像を表示できる。さらに、映像信号出力装置１０と通信装置２０との接続、および通信装置４０と映像表示装置５０との接続は、映像信号出力装置１０と映像表示装置５０を接続するために設けられたディジタルインタフェースを用いるため、映像信号出力装置１０と映像表示装置５０に対して通信装置２０，４０を接続するためのインタフェースを新たに設ける必要がなく、既存の映像信号出力装置１０と映像表示装置５０を用いることができる。
【００５２】
また、第１の無線信号としてミリ波帯のように高い周波数を用いる場合、通信装置２０と通信装置４０間で双方向通信を可能とすると、通信装置２０に第１の無線信号の周波数帯に対応する受信部を設け、通信装置４０に第１の無線信号の周波数帯に対応する送信部を設けなければならず通信装置２０，４０が高価となってしまう。しかし、第２の無線信号として第１の無線信号よりも低い周波数帯域を用いることで、第２の無線信号で双方向通信を行う情報送受信部は安価となり、通信装置２０，４０を安価に構成できる。
【産業上の利用可能性】
【００５３】
以上のように、本発明にかかる映像信号出力装置、映像表示装置及び受信品質通信システムは、映像の無線伝送でアンテナの向きを調整する際に有用であり、超高精細映像や高品位の動映像を伝送するため高い周波数帯を用いて通信を行う場合に適用している。
【図面の簡単な説明】
【００５４】
【図１】受信品質表示システムの構成を示すブロック図である。
【図２】映像信号出力装置の構成を示すブロック図である。
【図３】映像送信側の通信装置の構成を示すブロック図である。
【図４】映像受信側の通信装置の構成を示すブロック図である。
【符号の説明】
【００５５】
１０・・・映像信号出力装置、１１・・・映像信号生成部、１２・・・表示重畳部、１３・・・送信信号生成部、１４，２１，４２・・・インタフェース、１５・・・情報信号処理部、１６，２４，４４・・・制御部、１７，２５，４５・・・バス、２０，４０・・・通信装置、２２・・・送信部、２３，４３・・・情報送受信部、３１，３２，３３，３４・・・アンテナ、４１・・・受信部、５０・・・映像表示装置、２２１・・・送信信号処理部、２２２・・・送信処理部、２３１，４３１・・・情報信号処理部、２３２，４３２・・・通信処理部、４１１・・・受信処理部、４１２・・・受信信号処理部
【図１】
0004743238.tif 000002
【図２】
0004743238.tif 000003
【図３】
0004743238.tif 000004
【図４】
0004743238.tif 000005